(57)【要約】      （修正有）【課題】構造の強度が一層向上する戸パネル構造を提供する。【解決手段】戸パネル構造Ｍは、第１の面材、第２の面材、複数の第１の結合材２１、複数の第２の結合材２２及び複数の構造補強材３を含む。第１の面材と第２の面材とは互いに対向して配置され、かつ、第１の面材と第２の面材との間に複数の骨組み部材が配置される。複数の第１の凸リブを有する複数の第１の結合材が第１の面材に配置される。複数の第２の凸リブを有する複数の第２の結合材が第２の面材に配置される。複数の第１の凸リブはそれぞれ複数の第２の凸リブに接合され、かつ、第１の面材と第２の面材との間に、第１の方向に沿って複数のガイド穴が配置される。複数のガイド穴のそれぞれは、複数の骨組み部材と、第１の凸リブが対応的な第２の凸リブに接合した接合箇所の一部とを貫通する。複数の構造補強材はそれぞれ複数のガイド穴に挿設される。【選択図】図１
0003233062.tif 000002
【実用新案登録請求の範囲】
【請求項１】
対向して配置されると共に、互いの間に、縦方向に配列した複数の骨組み部材及び横方向に配列した骨組み部材が配置される、第１の面材及び第２の面材と、
前記第１の面材に配置され、それぞれに複数の第１の凸リブが設けられる複数の第１の結合材と、
前記第２の面材に配置されると共に、複数の前記第１の凸リブのそれぞれに対応して接合箇所を形成するように接合された複数の第２の凸リブを有し、かつ前記第１の面材と前記第２の面材との間に前記第１の面材と前記第２の面材とに平行となる第１の方向に沿って、複数のガイド穴がそれぞれ、複数の前記骨組み部材及び接合箇所の一部を貫通するように開設される、複数の第２の結合材と、
複数の前記ガイド穴にそれぞれ挿設される複数の構造補強材と、
を備える、
ことを特徴とする戸パネル構造。
【請求項２】
複数の前記構造補強材は、少なくとも前記戸パネル構造の４つの角隅寄りの領域に挿設される、請求項１に記載の戸パネル構造。
【請求項３】
前記戸パネル構造では、各前記角隅寄りの領域に少なくとも２つの構造補強材が挿設される、請求項２に記載の戸パネル構造。
【請求項４】
複数の前記構造補強材は、前記戸パネル構造の左右両側に、均一にかつ対称的に分布するように配置される、請求項１に記載の戸パネル構造。
【請求項５】
各前記第１の凸リブとそれに対応した前記第２の凸リブとは互いに雄雌連結構造として構成される、請求項１に記載の戸パネル構造。
【請求項６】
各前記第１の凸リブの延在方向は前記第１の面材に垂直となり、各前記第２の凸リブの延在方向は前記第２の面材に垂直となり、かつ、各前記第１の凸リブと各前記第２の凸リブの延在方向は、それに対応した前記構造補強材の挿設方向に垂直となる、請求項１に記載の戸パネル構造。
【請求項７】
各前記第１の凸リブとそれに対応した前記第２の凸リブとが接合された接合箇所に粘着剤が塗布されている、請求項１に記載の戸パネル構造。
【請求項８】
各前記構造補強材は柱構造であり、かつ、各前記構造補強材の長さは１０センチから１５センチである、請求項１に記載の戸パネル構造。
【考案の詳細な説明】
【技術分野】
【０００１】
本考案は戸パネル構造に関し、特に構造補強材を備える戸パネル構造に関する。
【背景技術】
【０００２】
戸パネル構造などの現在の建築商品は、通常、製造後に性能試験を行い、建築製品の品質が安全基準を満たしていることが確認されている。例えば、建築商品は、火災発生時に炎の広がりや煙の拡散が少ないことや、構造的な強度を維持するために、耐火性の試験が行われる。
【０００３】
既存の技術では、戸パネル構造の内部には通常、耐火機能を持つ建材や接着剤が使用されている。それでも、内部の建材同士の接着力が熱によって低下し、戸パネル構造の全体的な構造強度が不足する恐れがある。
【０００４】
したがって、上述のような不具合を克服するために、構造設計によって戸パネル構造の強度をいかに向上させるかが、本考案で解決すべき重要な課題の一つとなっている。
【考案の概要】
【考案が解決しようとする課題】
【０００５】
本考案が解決しようとする課題は、既存技術の不足に対して構造の強度が一層向上する戸パネル構造を提供することである。
【課題を解決するための手段】
【０００６】
戸パネル構造は、互いに対向する第１の面材と第２の面材と、及び複数の構造補強材を備え、かつ、第１の面材と第２の面材との間に、縦方向に配列または横方向に配列された複数の骨組み部材が配置される。複数の第１の結合材が第１の面材に配置され、第１の結合材にそれぞれに複数の第１の凸リブが設けられる。複数の第２の結合材が第２の面材に配置され、第２の結合材は、複数の第１の凸リブに対応した複数の第２の凸リブを含み、複数の第１の凸リブはそれぞれ複数の第２の凸リブに接合され、かつ、第１の面材と第２の面材との間に、第１の方向に沿って複数のガイド穴が開設され、第１の方向が第１の面材と第２の面材に平行となり、複数のガイド穴はそれぞれ複数の骨組み部材、及第１の凸リブと対応的な第２の凸リブとが接合された接合箇所の一部を貫通して構成される。複数の構造補強材はそれぞれ複数のガイド穴に挿設される。
【０００７】
特定の実施形態において、戸パネル構造において少なくとも４つの角隅寄りの領域に前記構造補強材が挿設される。
【０００８】
特定の実施形態において、戸パネル構造における各角隅寄りの領域に、少なくとも２つの構造補強材が挿設される。
【０００９】
特定の実施形態において、複数の構造補強材は、戸パネル構造の左右側寄りに均一かつ対称的に分布するように配置される。
【００１０】
特定の実施形態において、第１の凸リブのそれぞれと、それに対応した第２の凸リブとは、互いに雄雌連結構造となるように構成される。
【００１１】
特定の実施形態において、各第１の凸リブの延在方向は、第１の面材に垂直となり、各第２の凸リブの延在方向は第２の面材に垂直となり、かつ、各第１の凸リブ及び各第２の凸リブの延在方向は、それぞれに対応した構造補強材の挿設方向に垂直となる。
【００１２】
特定の実施形態において、各第１の凸リブとそれに対応した第２の凸リブとが接合された接合箇所に粘着剤が塗布される。
【００１３】
特定の実施形態において、各構造補強材は柱構造であり、かつ、各構造補強材の長さは１０センチから１５センチである。
【考案の効果】
【００１４】
本考案による有益な効果として、本考案が提供した戸パネル構造は「複数の第１の凸リブがそれぞれ複数の第２の凸リブに対応的に接合され、かつ、第１の面材と第２の面材との間に、第１の方向に沿って複数のガイド穴が開設される」という技術的手段、及び「複数の構造補強材がそれぞれ複数のガイド穴に挿設される」という技術的手段によって、戸パネル構造の全体的な構造強度を向上させることができる。
【図面の簡単な説明】
【００１５】
【図１】本考案に係る戸パネル構造を示す斜視模式図である。
【図２】本考案に係る戸パネル構造を示す局部構造模式図である。
【図３】本考案に係る戸パネル構造における第１の面材と第２の面材とを組み合わることを示す模式図である。
【図４】本考案に係る戸パネル構造における第１の面材と第２の面材が組み合わされた状態を示す模式図である。
【図５】図４におけるＶ部分を示す平面模式図である。
【図６】本考案に係る戸パネル構造に構造補強材が挿入されることを示す模式図である。
【考案を実施するための形態】
【００１６】
発明の特徴及び技術内容がより一層分かるように、以下本発明に関する詳細な説明と添付図面を参照する。しかし、提供される添付図面は参考と説明のために提供するものに過ぎず、本発明の特許請求の範囲を制限するためのものではない。
【００１７】
下記より、具体的な実施例で本発明が開示する「戸パネル構造」に係る実施形態を説明する。当業者は本明細書の公開内容により本発明のメリット及び効果を理解し得る。本発明は他の異なる実施形態により実行又は応用できる。本明細書における各細節も様々な観点又は応用に基づいて、本発明の精神逸脱しない限りに、均等の変形と変更を行うことができる。また、本発明の図面は簡単で模式的に説明するためのものであり、実際的な寸法を示すものではない。以下の実施形態において、さらに本発明に係る技術事項を説明するが、公開された内容は本発明を限定するものではない。なお、本明細書において「第１」、「第２」、「第３」等の用語で各種の部品又は信号を説明する場合があるが、これらの部品又は信号はこれらの用語によって制限されるものではない。これらの用語は、主として一つの部品と別の部品、又は一つの信号と別の信号を区分するためのものであることが理解されたい。また、本明細書に用いられる「又は」という用語は、実際の状況に応じて、関連する項目中の何れか一つ又は複数の組合せを含み得る。
［実施形態］
【００１８】
図１及び図２を参照されたい。図１は、本考案に係る戸パネル構造を示す斜視模式図である。図２は、本考案に係る戸パネル構造を示す局部構造模式図である。本考案に係る実施形態は、第１の面材１１と第２の面材１２、複数の第１の結合材２１、複数の第２の結合材２２及び複数の構造補強材３を備える戸パネル構造Ｍを開示する。第１の面材１１と第２の面材１２とは互いに対向して配置され、かつ、第１の面材１１と第２の面材１２との間に複数の骨組み部材１０が配置される。複数の骨組み部材１０は縦方向（Ｙ軸に平行となる方向）及び横方向（Ｘ軸に平行となる方向）に沿って配列される。なお、本考案は、複数の骨組み部材１０の配列方式及び方向について限定されていない。
【００１９】
上記を踏まえて、複数の第１の結合材２１は戸パネル構造Ｍの左右両側に分布され、かつ、複数の第２の結合材２２も戸パネル構造Ｍの左右両側に分布するように配置される。複数の第１の結合材２１が第１の面材１１に配置され、かつ、各第１の結合材２１に複数の第１の凸リブ２１１が設けられる。複数の第２の結合材２２は第２の面材１２に配置され、第２の結合材２２に、複数の第１の凸リブ２１１に対応した複数の第２の凸リブ２２１が配置される。２つの板材が戸パネル構造Ｍとして組み合わされた時、複数の第１の凸リブ２１１はそれぞれ複数の第２の凸リブ２２１に接合され、かつ、各第１の凸リブ２１１と各第２の凸リブ２２１との接合箇所に耐火粘着剤が塗布されている。このように、戸パネル構造Ｍの構造が固定される。なお、本考案では、第１の凸リブ２１１と第２の凸リブ２２１との接合及び具体的に形状について制限されない。例えば、各第１の凸リブ２１１は、それに対応した第２の凸リブ２２１とは互いに対応てきな雄雌連結構造として構成される。戸パネル構造Ｍにおける第１の面材１１及び第２の面材１２は、その構造で互いに嵌合され緊締された後、耐火性のある粘着剤で一体に接着させる。第１の凸リブ２１１と第２の凸リブ２２１とは、戸パネル構造Ｍの内部リブとして形成され、戸パネル構造Ｍの縦方向の曲げ耐性を向上させることによって、戸パネル構造Ｍを固定するために追加するエッジプロテクターを使用することはないため、工夫とコストはさらに減らすことができる。
【００２０】
図１及び図２を、図３〜図６と一緒に参照されたい。図３は、本考案に係る戸パネル構造において第１の面材と第２の面材を組み合わせる場合を示す模式図である。図４は、本考案に係る戸パネル構造において、第１の面材と第２の面材とが組み合わされた状態を示す模式図である。図５は、図４におけるＶ部分を示す平面模式図である。図６は、本考案に係る戸パネル構造に、構造補強材が挿入された状態を示す模式図である。図１及び図２は主に戸パネル構造Ｍの全体的な構造を示す。一方、図３乃至図６は、戸パネル構造Ｍを組み合わせる工程を示している。本考案が提供する戸パネル構造Ｍは、主に互いに対向して配置される２枚の板材を組み合わせて構成される。戸パネル構造Ｍにおける第１の面材１１は一方の板材に位置し、第２の面材１２は他方の板材に位置する。
【００２１】
上記を踏まえて、複数の第１の凸リブ２１１は、実質的に第１の面材１１に垂直となる方向（正のＹ軸方向）に延在し、複数の第２の凸リブ２２１は、実質的に第２の面材１２に垂直となる方向（負のＹ軸方向）に延在する。本考案に係る実施形態において、複数の第１の結合材２１と複数の第２の結合材２２とは、第１の面材１１または第２の面材１２に平行となる方向、即ち、Ｚ軸に平行、またはＸＹ平面に垂直となる方向に沿って、対向して配置される。具体的に、第１の結合材２１における複数の第１の凸リブ２１１、及び第２の結合材２２における複数の第２の凸リブ２２１は、例えば、ガラス繊維が圧縮成形で一体成型され、かつ、接合後、各第１の凸リブ２１１とそれに対応した第２の凸リブ２２１とが互いにインタロック（Ｉｎｔｅｒｌｏｃｋ）構造になっているように構成されてもよい。
【００２２】
そして、第１の面材１１と第２の面材１２との間に、第１の方向（負のＸ軸方向）に沿って複数のガイド穴２０が開設される。第１の方向は、第１の面材１１と第２の面材１２に平行となり、複数のガイド穴２０はそれぞれ、複数の骨組み部材１０、及び第１の凸リブ２２１とそれに対応した第２の凸リブ２２２とが接合した接合箇所の一部に貫通する。複数の構造補強材３はそれぞれ、複数のガイド穴２０に挿設される。言い換えれば、各第１の凸リブ２２１の延在方向が第１の面材１１に垂直となり、各第２の凸リブ２２２の延在方向が第２の面材１２に垂直となり、かつ、各第１の凸リブ２２１と各第２の凸リブ２２２の延在方向は、それに対応した構造補強材３の挿設方向に垂直となる。
【００２３】
具体的に、例えば、構造補強材３はステンレス製で長尺の棒状の柱構造であってもよい。なお、本考案では、構造補強材３の材料及び形状について制限しない。また、各構造補強材３の長さは１０センチから１５センチであり、１２センチが好ましい。なお、上記の例は実施可能な実施形態の１つに過ぎず、本考案を制限する意図はない。
【００２４】
具体的に、本本考案に係る実施形態において、複数の構造補強材３は、戸パネル構造Ｍの左右両側に均一かつ対称的に分布するように配置される。さらに、複数の構造補強材３は、少なくとも戸パネル構造Ｍにおける４つの角隅寄りの領域（２対の対角位置）に挿設される。好ましくは、戸パネル構造Ｍにおける各角隅寄りの領域（対角位置の近傍領域）に少なくとも２つの構造補強材３が挿設され、かつ、少なくとも２つの構造補強材３は近接して配置される。このように、構造補強材３が戸パネル構造Ｍ内に挿入され、複数の骨組み部材（横方向に配列の骨組み部材及び縦方向に配列の骨組み部材）と横方向に直列接続される。
【００２５】
そのため、本考案に係る構造補強材３の横方向に直列接続する方式によって、複数の横方向に配列した骨組み部材と縦方向に配列した骨組み部材との連結強度を向上させることができ、戸パネル構造Ｍの４つの隅が外力に対する抵抗能力を強めることができる。横方向に直列接続した構造補強材３が、複数の第１の凸リブ２１１とそれに対応した複数の第２の凸リブ２２１とが形成した縦方向の連結を貫通して、全体的に十文字に交差した補強構造として形成される。戸パネルに不意な外力が受かれた時、十文字に交差した補強構造はその外力による衝撃を分散させ、全体的な構造強度及び耐変形性の向上には期待される。
【００２６】
［実施形態による有益な効果］
本考案による有益な効果の１つとして、本考案が提供する戸パネル構造Ｍは、「複数の第１の凸リブ２２１がそれぞれに複数の第２の凸リブ２２２に接合され、かつ、第１の面材１１と第２の面材１２との間に第１の方向に沿って複数のガイド穴２０が開設される」、及び「複数の構造補強材３がそれぞれ複数のガイド穴２０に挿設される」という技術的手段によって、戸パネル構造Ｍの全体的な構造強度を高めることができる。
【００２７】
さらに、本考案が提供する戸パネル構造Ｍは、第１の結合材２１における複数の第１の凸リブ２１１とそれに対応した第２の結合材２２とが互いに接合されてなるインタロック（Ｉｎｔｅｒｌｏｃｋ）構造を利用し、さらに、横方向に直列接続された構造補強材３によって、複数の横方向に配列の骨組み部材と縦方向に配列の骨組み部材との連結強度を強めて、さらに、戸パネル構造Ｍの４つの隅部分の耐変形力を高めることができる。構造補強材３が横方向へ直列接続した構造は、複数の第１の凸リブ２１１とそれに対応した複数の第２の凸リブ２２１とで形成した縦方向への連結構造を貫通することによって、十文字に交差した補強構造として形成される。戸パネルに不意な外力が受かれた時、十文字に交差した補強構造はその外力による衝撃を分散させ、全体的な構造強度及び耐変形性の向上には期待される。
【００２８】
さらに、本考案に係る戸パネル構造Ｍは耐火門に適用し得る。戸パネルに火が付いた時、内部の骨材と面材との粘着剤の剥離による構造強度が低下の問題を解決し得る。即ち、骨材と面材との粘着剤が剥離したとしても、構造補強材３と内骨材（横方向に配列の骨組み部材及び縦方向に配列の骨組み部材）が、面材の内部リブ（複数の第１の凸リブ２１１及びそれに対応した複数の第２の凸リブ２２１）と直列接続されているため、熱による変形に耐性を有し、耐火門としてはその構造強度が確保できる。
【００２９】
以上に開示された内容は本発明の好ましい実施形態に過ぎず、これにより本発明の特許請求の範囲を制限するものではない。そのため、本発明の明細書及び添付図面の内容に基づき為された等価の技術変形は、全て本発明の特許請求の範囲に含まれるものとする。
【符号の説明】
【００３０】
Ｍ：戸パネル構造
１０：骨組み部材
１１：第１の面材
１２：第２の面材
２０：ガイド穴
２１：第１の結合材
２１１：第１の凸リブ
２２：第２の結合材
２２１：第２の凸リブ
３：構造補強材
【図１】
0003233062.tif 000003
【図２】
0003233062.tif 000004
【図３】
0003233062.tif 000005
【図４】
0003233062.tif 000006
【図５】
0003233062.tif 000007
【図６】
0003233062.tif 000008